【事件の表示】
平成　７年特許願第２４２４２７号「遊技場におけるカード式顧客管理システム」拒絶査定に対する審判事件［　平成　８年　５月　７日出願公開、特開平　８−１１２４２４                        ］について、次のとおり審決する。
【結　論】
　本件審判の請求は、成り立たない。
【理　由】
〔出願の経緯及び出願日〕
　この出願は、平成４年１０月２６日に出願された特願平４−３１１０２１号をもとの出願とする新たな特許出願として、平成７年８月２８日に出願された。
　しかし、
この出願の明細書（平成１１年１１月１５日付けで補正されたもの）の
段落番号【０００３】の「顧客にカードを発行し、顧客がホールに入場して遊技が終了するまでに、どの程度の玉またはメダルが貸出され、遊技中において顧客が獲得した賞球またはメダルの総数や、日付、使用台番号等の情報を、パチンコ台、玉貸機、玉計数機等と接続するホストコンピューターに転送して入力せしめ」、
同【０００９】の「前記台間玉貸機または玉貸機のカード挿入口に挿入し玉の貸出しを受ける毎に、ホストコンピューターにカード番号、日付、玉数の情報を転送して入力せしめ、さらに顧客が獲得した入力玉数を玉計数機を介して計数する際、カード挿入口にカードを挿込み、入力玉数に関する情報等をホストコンピューターに転送して入力せしめ」、
同【００１０】の「前記カードを情報提供装置のカード挿入口に挿入すると、前記ホストコンピューターに入力されている前記挿入カードを有する顧客に関する出力玉数（または金員）、入力玉数とが」、
同【００１４】の「この顧客が玉をいくら貸出しを受けたか、という玉数または金員に関する情報が前記玉貸機または前記台間玉貸機に接続しているホストコンピューターに転送されて当該顧客が貸出された玉数または使用した金員に関する情報が入力される」、
同【００１５】の「顧客がお金を使ったときにも、カードをカード挿入口に挿入して所定の玉数の貸出しを受けるごとに、累積された数字がホストコンピューターに入力される」、
同【００１７】の「カードをカード挿入口に挿入した後、賞球を投入してやる。その結果、顧客の獲得した入力玉数が計数機に接続しているホストコンピューターに入力される」、
同【００３１】の「前記玉貸機、台間玉貸機、玉計数機、情報提供装置に設けたカード挿入口の内側部にカード読取り装置だけを装着せしめたので、機構上簡略化され、さらに設備費が節減できた」
及び
同【００３２】の「顧客が前記会員カードを紛失しても、顧客に関する主要な情報が記録されていないので」
なる記載からみて、
この出願の請求項１に係る発明においては、顧客の玉数等の情報は、ホストコンピューターに入力され、カードには記録されないものと認められるところ、
特願平４−３１１０２１号の願書に最初に添付された明細書又は図面には、
例えば、その明細書の
段落番号【０００９】の「顧客が玉の貸出しを受けようとするときは、前記台間玉貸機または玉貸機のカード挿入口に挿入して玉の貸出しを受ける毎に玉数（または金員）を記録し、同時にホストコンピューターにもカード番号、日付、玉数等の情報を転送して入力せしめ、さらに顧客が獲得した入力玉数を玉数計数機を介して計数する際、カード挿入口にカードを挿込み、入力玉数をカードに記録し、同時にこれらの情報等をホストコンピューターにも転送して入力し」
なる記載からも明らかなように、
顧客の玉数等の情報がカードに記録されると同時にホストコンピューターにも入力される発明が記載されていて、玉数等の情報がホストコンピューターには入力されるがカードには記録されない発明は記載されていないものと認められる。
　そうすると、この出願を、特願平４−３１１０２１号をもとの出願とする新たな特許出願と認めることはできない。
　したがって、この出願の出願日は、平成７年８月２８日である。
〔この出願の発明〕
　この出願の請求項１に係る発明は、平成１１年１１月１５日付け手続補正によって補正された明細書の特許請求の範囲に記載されたとおりの、
「顧客に対し、カード番号等を記録した記録カード（磁気カード、ＩＣカードを含む）を予め発行し、ホール側のホストコンピューターには、前記発行済みカードに記録されているカード番号を入力しておき、
　台間玉貸機と前記玉貸機とは別個にホール内に設置されている玉貸機とに、前記カードを挿入するための挿入口を設けると共に、前記挿入口の内側部に前記カードの読取り装置を装着せしめ、
　賞球計数機にも前記カードを挿入するための挿入口を設けると共に、前記挿入口の内側部に前記カードの読取り装置を装着せしめ、
　前記カードを挿入する挿入口と読取り装置と、情報表示部もしくは情報提供部とを有する情報提供装置と、
　上記の台間玉貸機、玉貸機、賞球計数機及び情報提供装置と、前記カードを挿入した顧客に関する出力玉数、入力玉数の情報を入力し、情報提供装置を介して顧客側に提供する各種情報を入力及び出力させるためのホストコンピューターとを接続し、
　顧客が玉の貸出しを受けようとして、前記台間玉貸機または玉貸機のカード挿入口に挿入し玉の貸出しを受ける毎に、ホストコンピューターにカード番号、日付、玉数の情報を転送して入力せしめ、さらに顧客が獲得した入力玉数を玉計数機を介して計数する際、カード挿入口にカードを挿込み、入力玉数に関する情報をホストコンピューターに転送して入力せしめ、
　前記カードを情報提供装置のカード挿入口に挿入すると、前記ホストコンピューターに入力されている前記挿入カードを有する顧客に関する出力玉数（または金員）、入力玉数とが、ホール側が予め規定する所定の条件に応じた情報である本日の特別台、出玉情報、空台の中ではどの台がよかったかの各種情報の一部または全部の情報を、カード挿入の顧客に対して表示部またはレシーバーの器具を介して情報を提供し、情報提供終了後は、ホストコンピューターの記録を０戻しにすることを特徴とする遊技場におけるカード式顧客管理システム」
にあるものと認められる。
〔引用例に記載された発明〕
　これに対し、当審の拒絶理由において引用された、この出願の出願前に国内において頒布された刊行物である特開平６−１３４１２７号公報（以下、引用例１という）には、
「顧客に対し、カード番号等を記録した記録カード（磁気カード、ＩＣカードを含む）を予め発行し、ホール側のホストコンピューターには、前記発行済みカードに記録されているカード番号を入力しておき、
　台間玉貸機と前記玉貸機とは別個にホール内に設置されている玉貸機とに、前記カードを挿入するための挿入口を設けると共に、前記挿入口の内側部に前記カードの読取り及び記録装置を装着せしめ、
　賞球計数機にも前記カードを挿入するための挿入口を設けると共に、前記挿入口の内側部に前記カードの読取り及び記録装置を装着せしめ、
　前記カードを挿入する挿入口と読取り及び記録装置と、情報表示部もしくは情報提供部とを有する情報提供装置と、
　上記の台間玉貸機、玉貸機、賞球計数機及び情報提供装置と、前記カードを挿入した顧客に関する出力玉数、入力玉数等の情報を入力し、情報提供装置を介して顧客側に提供する各種情報を入力及び出力させるためのホストコンピューターとを接続し、
　顧客が玉の貸出しを受けようとして、前記台間玉貸機または玉貸機のカード挿入口に挿入し玉の貸出しを受ける毎に前記カードに玉数（または金員）を記録し、同時にホストコンピューターにカード番号、日付、玉数の情報を転送して入力せしめ、さらに顧客が獲得した入力玉数を玉計数機を介して計数する際、カード挿入口にカードを挿込み、入力玉数をカードに記録し、同時に入力玉数に関する情報をホストコンピューターに転送して入力せしめ、
　前記カードを情報提供装置のカード挿入口に挿入すると、カードに記録されている出力玉数（または金員）、入力玉数とが、ホール側が予め規定する所定の条件に応じた情報である本日の特別台、出玉情報、空台の中ではどの台がよかったかの各種情報の一部または全部の情報を、カード挿入の顧客に対して表示部またはレシーバーの器具を介して情報を提供し、情報提供終了後は、ホストコンピューターの記録を０戻しにする遊技場におけるカード式顧客管理システム」
を構成とする発明が、
同じく、この出願の出願前に国内において頒布された刊行物である特開平２−４３９７号公報（以下、引用例２という）には、
特に、「遊技店識別情報以外のすべての情報を、磁気記録部（記憶領域）６１と記憶部（記憶領域）１３との両方に記録、記憶させることにより、それぞれの記録媒体識別情報によって特定された各種情報を互いに照合して間違いがないかどうかを確かめることができる利点がある。しかし、本発明はこれに限らず、記録媒体識別情報以外の情報についてはいずれか一方の領域にのみ記録あるいは記憶するように構成してもよい」（第７頁左下欄第１０ないし１８行）なる記載からみて、
「遊技者に対し、記録媒体識別情報を記録した記録媒体６０を予め発行し、遊技場側の管理装置１０には、前記発行済み記録媒体６０に記録されている前記記録媒体識別情報を入力しておき、
　遊技者が前記記録媒体６０をカード挿入・排出口に挿入して遊技をする毎に、記録媒体６０及び管理装置１０又はそれらの何れか一方に記録媒体識別情報以外の持点情報を記録あるいは記憶せしめる遊技場の管理設備装置」
を構成とする発明が、
それぞれ記載されているものと認められる。
〔この出願の請求項１に係る発明と引用例１に記載された発明との対比〕
　そこで、この出願の請求項１に係る発明（前者）と引用例１に記載された発明（後者）とを対比すると、
両者は、
「顧客に対し、カード番号等を記録した記録カード（磁気カード、ＩＣカードを含む）を予め発行し、ホール側のホストコンピューターには、前記発行済みカードに記録されているカード番号を入力しておき、
　台間玉貸機と前記玉貸機とは別個にホール内に設置されている玉貸機とに、前記カードを挿入するための挿入口を設けると共に、前記挿入口の内側部に前記カードの読取り装置を装着せしめ、
　賞球計数機にも前記カードを挿入するための挿入口を設けると共に、前記挿入口の内側部に前記カードの読取り装置を装着せしめ、
　前記カードを挿入する挿入口と読取り装置と、情報表示部もしくは情報提供部とを有する情報提供装置と、
　上記の台間玉貸機、玉貸機、賞球計数機及び情報提供装置と、前記カードを挿入した顧客に関する出力玉数、入力玉数の情報を入力し、情報提供装置を介して顧客側に提供する各種情報を入力及び出力させるためのホストコンピューターとを接続し、
　顧客が玉の貸出しを受けようとして、前記台間玉貸機または玉貸機のカード挿入口に挿入し玉の貸出しを受ける毎に、ホストコンピューターにカード番号、日付、玉数の情報を転送して入力せしめ、さらに顧客が獲得した入力玉数を玉計数機を介して計数する際、カード挿入口にカードを挿込み、入力玉数に関する情報をホストコンピューターに転送して入力せしめ、
　前記カードを情報提供装置のカード挿入口に挿入すると、前記カードを有する顧客に関する出力玉数（または金員）、入力玉数とが、ホール側が予め規定する所定の条件に応じた情報である本日の特別台、出玉情報、空台の中ではどの台がよかったかの各種情報の一部または全部の情報を、カード挿入の顧客に対して表示部またはレシーバーの器具を介して情報を提供し、情報提供終了後は、ホストコンピューターの記録を０戻しする遊技場におけるカード式顧客管理システム」である、
点において一致し、
前者においては、カード挿入口にカードの読取り装置のみが備えられ、出力玉数（または金員）、入力玉数がホストコンピューターに入力され、情報提供装置のカード挿入口にカードを挿入すると、ホストコンピューターに入力されている出力玉数（または金員）、入力玉数によって情報が提供される、
のに対し、
後者においては、カード挿入口にカードの読取り装置のみならずカードの記録装置も備えられ、出力玉数（または金員）、入力玉数がカードに記録されると同時にホストコンピュータに入力され、情報提供装置のカード挿入口にカードを挿入すると、カードに記録されている出力玉数（または金員）、入力玉数によって情報が提供される、
点において相違しているものと認められる。
〔相違点についての当審の判断〕
　しかし、前記相違点についてみると、要するにこの点は、
出力玉数（または金員）、入力玉数を、
前者が、ホストコンピューターに記憶させている、
のに対し、
後者が、カード及びホストコンピューターの両方に記憶させている、
という相違によって生じる相違であるものと認められるところ、
引用例２に記載された発明の
「遊技者」、「記録媒体識別情報」、「記録媒体６０」、「遊技場」、「管理装置１０」、「カード挿入・排出口」、「持点」及び「遊技場の管理設備装置」
がそれぞれの機能に照らし、それぞれ
前者の
「顧客」、「カード番号」、「記録カード（磁気カード、ＩＣカードを含む）」、「ホール」、「ホストコンピューター」、「カード挿入口」、「玉数」及び「遊技場におけるカード式顧客管理システム」
に相当するものと認められるから、
引用例２に記載された発明には、
遊技場におけるカード式顧客管理システムにおいて、
玉数を、カード及びホストコンピューターの両方に記憶させてもいいし、それらの何れか一方に記憶させてもいい、
という構成が備わっているものと認められる。
　してみれば、出力玉数（または金員）、入力玉数を、カード及びホストコンピューターの両方に記憶させている後者に、
玉数を、何れか一方に記憶させてもいいという引用例２に記載された発明を適用し、
後者において、出力玉数（または金員）、入力玉数を、ホストコンピューターにのみ記憶させるべく、
カード挿入口にカードの読取り装置のみを備えさせ、出力玉数（または金員）、入力玉数をホストコンピューターに入力させ、情報提供装置のカード挿入口にカードを挿入するとホストコンピューターに入力されている出力玉数（または金員）、入力玉数によって情報を提供させるように、後者を改変することは、
後者及び引用例２に記載された発明が、共に、遊技場におけるカード式管理システムの技術に関するものである以上、当業者が格別創意工夫を要することではないというべきである。
　しかも、この出願の明細書の段落番号【００３１】及び【００３２】に記載されている「カード挿入口の内側部にカード読取り装置だけを装着せしめたので、機構上簡略化され、さらに設備費が節減できた」及び「顧客が会員カードを紛失しても、顧客に関する主要な情報が記録されていないので、一切の情報が不明となるおそれがない」という前者の効果は、出力玉数（または金員）、入力玉数をカードに記憶させずにホストコンピューターに記憶させることによって当然に生じる自明の効果であるものと認められ、したがって、前者の効果は、後者及び引用例２に記載された発明のそれぞれの効果の総和以上の格別なものとも認められない。
〔むすび〕
　したがって、この出願の請求項１に係る発明は、引用例１及び２に記載された各発明に基いて当業者が容易に発明をすることができたものであるから、特許法第２９条第２項の規定により特許を受けることができない。
　よって、結論のとおり審決する。